(57)【要約】【課題】本発明は、ポップアップ式グリーテイングカードに、縦横にポップアップする構成体を備え、用途を広げる手段であるカードホルダーの機能も採り入れられるように、多くの見開き面を設けることができる構成をつくり、且つコンパクトに収合でき、簡単に展げられて、展げた配列を見易くする構造を提供するものである。  【解決手段】縦方向に二面又は三面で構成した主面体２を、縦方向に二接続部又は三接続部で構成した接続体５を介して横方向に連接させ、最下接続部の形状を、その底辺の両端が鋭角で成る形状に形成させ、連接箇所とそれぞれの面及び接続部の境界に折目を設けて多面体１をつくり、縦横にポップアップさせる起伏構成体２４とカードホルダー２７を設け、前記最下接続部の形状と前記折目とを効果的に作用させて、本ポップアップ多面体をコンパクトに収合し、簡単に展げられて、見易い配列にする。【選択図】図５
2010247356.tif 000002
【特許請求の範囲】
【請求項１】
主面体を、接続体を挟んで連接させ、前記主面体を縦方向に上面と下面とで構成させ、前記接続体を縦方向に上接続部と下接続部とで構成させ、前記下接続部を、前記上接続部との境界を底辺としその両端の角度が鋭角で成る形状に形成させ、前記主面体には前記上面と前記下面との境界に第１折目を設け、前記接続体には前記上接続部と前記下接続部との境界に第２折目を設け、前記上面を前記上接続部に連接させてその連接箇所にそれぞれ第３折目を設け、前記下面を前記下接続部に連接させてその連接箇所にそれぞれ第４折目を設けて多面体を構成させ、前記上面と前記下面とで第１見開き面を形成させ、前記上面と前記上接続部とで第２見開き面を形成させ、前記第１見開き面及び前記第２見開き面の全て又はいずれかに、ポップアップ機構と構成体とで成る起伏構成体を設け、それぞれの前記第１見開き面に設けた前記起伏構成体を、連接させた前記下面と前記下接続部とで前記上面側へ畳み込んでそれぞれの前記主面体をそれぞれ収蔵主面体にし、それらの収蔵主面体をさらに第３折目で折曲げて、それぞれの前記第２見開き面に設けた前記起伏構成体をそれぞれ上接続部側に畳み込み、前記収蔵主面体をお互いに向き合うかたちに収合させて収合多面体にし、その収合多面体を展げる動作で、折畳まれている前記下面と前記下接続部とを引起こして全ての前記起伏構成体をポップアップさせ、且つ前記上面と前記上接続部を介して隣り合う上面とが相互に鈍角の配列で並らぶ構造を備えた、ポップアップ多面体。
【請求項２】
主面体に設けた第１折目と接続体に設けた第２折目を、前記主面体と前記接続体との連接箇所に十字に交わる線上に設け、上面と上接続部との連接箇所に設けた第３折目を、相互に並行にした、請求項１に記載のポップアップ多面体。
【請求項３】
下接続部の底辺の両端の角度を成す鋭角を、前記下接続部に連接させたそれぞれの下面によって上面側へ畳み込まれた起伏構成体の厚みに応じて変更させる、請求項１または２に記載のポップアップ多面体。
【請求項４】
３個以上の主面体を連接させた多面体のそれぞれの接続体の幅を、それぞれの前記接続体の上接続部に接続させた収蔵主面体が、第３折目で折曲げられる順序に応じて変更させる、請求項１〜３のいずれか１項に記載のポップアップ多面体。
【請求項５】
主面体の上方に最上面を設けた３面主面体を、接続体の上方に最上接続部を設けた３部位接続体を介して横方向に連接させ、前記３面主面体には上面と前記最上面との境界に第５折目を設け、前記３部位接続体には上接続部と前記最上接続部との境界に第６折目を設け、前記最上接続部には前記第６折目を底辺としその両端の角度が鋭角で成る形状を形成させて前記最上面と連接させてその連接箇所にそれぞれ第７折目を設け、前記最上面と前記上面とで第３見開き面を形成させ、その第３見開き面の全て又はいずれかに起伏構成体を設けた、請求項１〜４のいずれか１項に記載のポップアップ多面体。
【請求項６】
第１見開き面を成す上面の全て又はいずれかに、ポップアップ機構を介してカードホルダー用の額縁を接合させて形成したカードホルダーを設け、そのカードホルダーの表面と下面及び上接続部とで形成させたそれぞれの見開き面の全て又はいずれかに起伏構成体を設けた、請求項１〜５のいずれか１項に記載のポップアップ多面体。
【請求項７】
上面とその上面側に折畳める下面で構成した主面体又は前記主面体の上方に前記上面側に折畳める最上面を設けた３面主面体のそれぞれの前記上面に、引起し式の保持片を設け、前記主面体の下面又は前記３面主面体の最上面及び下面に保持台片を設け、その保持台片を、ポップアップ機構を介してそれぞれの前記上面と接合し、前記主面体の下面又は前記３面主面体の最上面及び前記下面を、下方又は上下方向に展げて前記保持台片をポップアップさせ、そのポップアップさせた保持台片に前記保持片を引起して乗せる構造を備えた、ポップアップ多面体。
【発明の詳細な説明】
【技術分野】
【０００１】
本発明は、ポップアップ式グリーテイングカードに関する。
【背景技術】
【０００２】
従前のポップアップ式グリーテイングカードは、コンパクトなサイズでありながら、メッセージの内容を演出する構成体を収蔵し、開くとその構成体がポップアップしてきて演出効果を高める利点を備えている。しかしながら、見開き面が少ないためにポップアップする構成体の配置に制約があって演出効果が不十分であり、用途もメッセージを伝えるという一過性の利用に限られる欠点があった。その欠点を改善するには、見開き面の数を増やして、ポップアップする構成体を多数設けられるようにし、用途を広げる方法としてカードホルダーの機能を採入れてメッセージカードや写真や画像カードなどを利用できるようにすることが要件になる。反面、前述の要件を採り入れると、ポップアップ式グリーテイングカードは、面積が大きくなり且つ複雑な構造になって、コンパクトに収合すること、簡単に展げること、見易い配列にすることが、極めて困難になるという問題が生じる。
【先行技術文献】
【特許文献】
【０００３】
【特許文献１】登録実用新案第３０４８１８６号公報
【特許文献２】特許公開２００２−２２４４６５号公報
【特許文献３】登録実用新案第３０９００９３号公報
【特許文献４】登録実用新案第３０４５６８８号公報
【特許文献５】登録実用新案第３００９７７０号公報
【特許文献６】登録実用新案第３１３８８１７号公報
【発明の概要】
【発明が解決しようとする課題】
【０００４】
ポップアップ式グリーテイングカードに、ポップアップする構成体を多く設けることができ、カードホルダーの機能も採り入れることができるように、多くの見開き面が備えられる構成をつくり、且つコンパクトに収合でき、簡単に展げることができて、展げた配列を見易くする構造をつくる。
【課題を解決するための手段】
【０００５】
本発明のポップアップ多面体は、主面体を、接続体を挟んで横方向に連接させて構成する。前記主面体は、縦方向に上面と下面とで構成させ、前記接続体は、縦方向に上接続部と下接続部とで構成させ、前記下接続部を、前記上接続部との境界を底辺としその両端の角度が鋭角で成る形状に形成させる。前記主面体には前記上面と前記下面との境界に第１折目を設け、前記接続体には前記上接続部と前記下接続部との境界に第２折目を設け、前記上面を前記上接続部に連接させてその連接箇所にはそれぞれに第３折目を設け、前記下面を前記下接続部に連接させてその連接箇所にはそれぞれ第４折目を設けて多面体を構成させる。
【０００６】
それぞれの主面体の上面と下面とで第１見開き面を形成させ、前記上面と上接続部とで第２見開き面を形成させて縦方向と横方向に開閉する複数の見開き面を設ける。それらの見開き面の全て又はいずれかに、ポップアップ機構と構成体とで成る起伏構成体を設けて、複数の起伏構成体を縦方向と横方向にポップアップさせる構造を備える。
【０００７】
連接させた下面と下接続部を第１折目と第２折目で折畳んで、それぞれの第１見開き面に設けた起伏構成体を、上面側へ畳み込ませて成る収蔵主面体をそれぞれ形成させ、そのそれぞれの収蔵主面体をさらに第３折目で折曲げて前記第２見開き面に設けた前記起伏構成体を上接続部側に畳み込み、最終的に前記収蔵主面体をお互いに向き合うかたちにして成る収合多面体に収合させる。
【０００８】
前記下接続部を、その底辺の両端の角度を鋭角で成る形状で形成させた傾斜を持つ折目で前記下面と連接させているので、収合多面体を形成させる動作が、前記下接続部に連接させている前記下面を、前期上面に対して鋭角に傾斜させて前記上面との間にＶ字近似形状の空間をつくる作用に働き、その空間に、畳み込まれた前記起伏構成体を収蔵して且つ損傷を防ぐ。さらに前記下接続部の面が上接続部の面に密着するので前記収蔵主面体を折曲げる時には支点の役目を果たす。本多面体の構成と下接続部の形状によって、本多面体に設けた縦方向と横方向にポップアップする複数の起伏構成体を、損傷無く縦方向に畳み込み、さらに横方向に畳み込んで、最終的には、それぞれの収蔵主面体を接続体を挟んで向き合うかたちに収合させた収合多面体を形成して、本多面体をコンパクトに収合させる。
【０００９】
下接続部の形状を、その底辺の両端の角度が鋭角を成る形状に形成させているので、連接させた前記下接続部と下面との横幅が上面側で長く他方の先端側で短くなり、収合多面体を展げる動作で、折畳まれている前記下面と前記下接続部とを引起こす作用が働いて全ての起伏構成体をポップアップさせる。さらに前記上面と前期上接続部を介して隣り合う上面とが相互に鈍角の配列になり観賞者を取り囲むように並らぶ。且つ連接させた前記下面と前記接続下部の形状が奥側の上面側で広く手前に狭い扇状の形状になるので、その扇状の形状が左右端の最前端と中央部の最後端との奥行きを長くし、連接させた前記下面と前記下接続部とを設置面とする本多面体を倒れ難くする。
【００１０】
主面体に設けた第１折目と接続体に設けた第２折目を、前記主面体と前記接続体との連接箇所に十字に交わる線上に設け、且つ上面と上接続部との連接箇所に設けた第３折目を、相互に並行にさせて、収合多面体の歪を抑える。さらに下接続部の底辺の両端の角度を成す鋭角を、前記下接続部に連接させたそれぞれの下面によって上面側へ畳み込まれた起伏構成体の厚みに応じて変更させて、畳み込まれた前記起伏構成体の厚みに合わせたＶ字近似形状の空間をつくり、前記起伏構成体の損傷を防ぐ効果を高める。
【００１１】
３個以上の主面体を連接した多面体においては、最初に折曲げられる収蔵主面体３３を接続させた接続体５の幅は、２つの収蔵主面体３３を内包させるので狭く、最後に折曲げられる収蔵主面体３３を接続させた接続体５の幅は、連接した全ての収蔵主面体３３の個数を内包させることになるので最も広くなるようにして、それぞれの接続体５に接続させた収蔵主面体３３が、上接続部６で折曲げられる順序に応じて変更させることで、３個以上に連接する主面体２の個数が増えても、上面３をはみだす下面４又は起伏構成体２４がない前提で、最も大きい主面体２を表面積とし最も幅の広い接続体５を高さとする立体形にして、コンパクトに収合させる。
【００１２】
主面体の上方に最上面を設けて３面主面体にし、接続体の上方に最上接続部を設けて３部位接続体にして、前記３面主面体を、前記３部位接続体を介して横方向に連接し、前記最上面と上面とで縦方向に開閉する第３見開き面を形成させて起伏構成体を設けて、縦方向にポップアップする前記起伏構成体を増やす。
【００１３】
ポップアップ式グリーテイングカードの用途を広げる手段として、第１見開き面を成す上面の全て又はいずれかに、ポップアップ機構を介してカードホルダー用の額縁を接合させて形成させたカードホルダーを設け、そのカードホルダーの表面と下面及び上接続部とで形成された見開き面の全て又はいずれかに起伏構成体を設ける。本多面体には、起伏構成体と前記カードホルダーとを併せて設けるか又はいずれかを設けて用いる。
【００１４】
上面とその上面側に折畳める下面で構成した主面体又は前記主面体の上方に前記上面側に折畳める最上面を設けた３面主面体のそれぞれの前記上面に、引起し式の保持片を設け、前記主面体の下面又は前記３面主面体の最上面及び下面には保持台片を設ける。その保持台片を、ポップアップ機構を介してそれぞれの前記上面と接合させて、前記主面体の下面又は前記３面主面体の最上面及び前記下面を下方又は上下方向に展げて前記保持台片をポップアップさせ、そのポップアップさせた保持台片に前記保持片を引起して乗せる構造を備えて、前記主面体と前記３面主面体の綴じ込みを防ぐ。
【発明の効果】
【００１５】
本発明のポップアップ多面体は、主面体を接続体で横方向に連接させ、前記主面体には上面と下面を設け、前記接続体には上接続部と下接続部を設け、前期上面と前記下面及び前記上接続部と下接続部の境界及びそれぞれの連接箇所に折目を設けた構成を備えているので、次の２つの効果をもつ。１は、縦方向と横方向に開閉する複数の見開き面を備えることができる効果、２は、前項１によって複数の前記見開き面に縦方向と横方向にポップアップする起伏構成体を設けることができる効果、である。
【００１６】
前述の構成において、接続体の下接続部を、上接続部との境界を底辺としてその両端の角度を鋭角で形成させた形状にして主面体の下面と連接させることで、その連接箇所のそれぞれの折目に傾斜を与えることになり、その傾斜が、本多面体を縦方向に折畳み、さらに横方向に折曲げて収合多面体を形成させる過程で、以下の３つの効果を生む。１は、下接続部に連接させた下面を上面に対して鋭角に傾斜させるので、前記下面は前記上面との間に起伏構成体を収蔵するＶ字近似形状の空間をつくり出す効果、２は、前記空間に収蔵させた前記起伏構成体の損傷を防ぐ効果、３は、前記下接続部の面が前期上接続部の面に密着して収蔵主面体を折曲げる動作の支点になり折曲げを容易する効果、４は、収合させた収合多面体の形状の歪みを抑える効果、である。
【００１７】
本多面体に設けた縦方向と横方向にポップアップする複数の起伏構成体を、まず縦方向に折畳み、次に横方向に畳み込む順序で収蔵し、最終的にそれぞれの収蔵主面体を主接続部を挟んで相互に向き合うかたちにして収合させる構造を備えているので、前述の効果との相乗効果で、次の２つの効果を生む。１は、収蔵主面体に、その収蔵主面体を成す上面からはみ出す下面又は起伏構成体がない前提において、大きい方の上面を表面積とし上接続部の幅を高さとする立体状の形状にして、本多面体をコンパクトに収合させる効果、２は、上接続部とその上接続部を挟んで相互に向き合う形で収合させた収蔵主面体を成す上面とが、本の背表紙と表裏表紙のように、収合させた起伏構成体を抱え込むように保護する効果、である。
【００１８】
下接続部の形状が、連接した下面と下接続部の横幅を、上面側で長く他方の先端側では短くし、且つ連接した前記下面と前記下接続部の形状を、奥側の上面側で広く他方の手前側で狭い扇状に形成させることによって、次の３つの効果を生む。１は、収合した多面体を展げる時、その展げる動作が、折畳まれた状態にある連接した前記下面と前記接続下部とを引起こす作用に働いて、収合多面体を簡単に展げ畳み込まれた起伏構成体を容易にポップアップさせる効果、２は、展げた多面体を設置する時に、上面と上接続部を介して隣り合う上面とが相互に鈍角を成す配列になって観賞者を取り囲むように並らび、見易くする効果、３は、連接させた下面と接続下部の形状が扇状であるので、その扇状の形状の左右端にある最前端と中央部にある最後端との奥行きを長くして、前記下面と前期下接続部を設置面とする本多面体を倒れ難くする効果、である。
【００１９】
下面の折目と下接続部の折目を、主面体と接続体の連接箇所に対して十字に交わる線上に設け、且つ上面と上接続部との連接箇所の折目を相互に並行することによって、次の２つの効果を生む。１は、折畳みと折曲げの精度を上げて収合多面体の形状の歪を小さくする効果、２は、収蔵する時及び展げる時に起伏構成体の損傷を防ぐ効果、である。さらに下接続部の底辺の両端の鋭角を、前記下接続部に接続されたそれぞれの下面によって上面側に畳込ませた起伏構成体の厚みに応じて変更させることによって、厚みに合ったＶ字近似形状の空間をつくるので、次の２つの効果を生む。１は、前記起伏構成体の厚みに合った収蔵をさせる効果、２は、前記起伏構成体の損傷を防ぐ効果、である。
【００２０】
３個以上の主面体を連接した本多面体のそれぞれの接続体の幅を、最初に折曲げられる収蔵主面体を接続させた接続体の幅は、２つの収蔵主面体だけを内包させるので狭くし、最後に折曲げられる収蔵主面体を接続させた接続体の幅は、連接した全ての収蔵主面体の個数を内包させるので最も広くなるようにして、それぞれの接続体に接続させた収蔵主面体が、上接続部で折曲まげられる順序に応じて変更させることで、次の３つ効果を持つ。１は、３個以上に連接する主面体の個数が増えても、上面をはみだす下面又は起伏構成体がない前提において、最も大きい主面体を表面積とし最も幅の広い接続体を高さとする立体形にして、コンパクトに収合できる効果、２は、連接する主面体の個数を３個以上に増やすことができ、見開き面とポップアップする構成体を増やすことができる効果、３は、収蔵主面体を折曲げる順序を、一方向又は左右から順次又は左右からで且つ不規則にすることができる効果、である。
【００２１】
主面体の上方に最上面を設け、接続体の上方に最上接続部を設けて、本多面体の上下面を２面から３面にさせることで、次の３つの効果を生む。１は、前記最上面と前記上面とに見開き面を設けることができるので縦方向にポップアップする起伏構成体を増やすことができる効果、２は、本多面体を収合した形態と展げた形態での構造上の強度が増す効果、３は、展げた時に、本多面体の最上箇所の端面を現さないので美観を高める効果、である。
【００２２】
カードホルダーの機能を設けるのは先例に見られるが、本発明は、カードホルダー用の額縁をポップアップ機構を介して主面に取り付ける構造による新しい方式のカードホルダーであるので、次の効果がある。多面体を収合させた時は前記額縁を圧して厚みを押さえ、展げた時には隙間が開いてカードを挿出入し易くする効果、である。
【００２３】
ポップアップする構成体を備えた見開き面の綴じ込みを防ぐために、引き起こし式の保持片を設けている先例はあるが、本発明は、引き起こし式の保持片とポップアップさせる保持台片とを併用しているので、次の２つの効果がある。１は、見開き面の開きを直角又は直角に近い角度を保持できる効果、２は、展げた本多面体の強度が増す効果、である。
【図面の簡単な説明】
【００２４】
【図１】本発明に係わる２個の主面体を接続体で連接した形状の展開図である。
【図２】本発明に係わる３個の主面体を接続体で連接した形状の展開図である。
【図３】本発明に係わる最上面を設けた５個の３面主面体を、最上接続部を設けた３部位接続体で連接した形状の展開図である。
【図４】本発明に係わる２個の主面体を接続体で連接した本多面体を、展げて設置した状態を示す図である。
【図５】本発明に係わる３個の主面体を接続体で連接した本多面体を、展げて設置した状態を示す図である。
【図６】本発明に係わる本多面体の外周形状と接続部に施した開口形状の例を示す図である。
【図７】本発明に係わる最上面を設けた３個の３面主面体を、最上接続部を設けた３部位接続体で連接した本多面体を展げて設置した状態を示す図である。
【図８】本発明に係わる最上面を設けた５個の３面主面体を、最上接続部を設けた３部位接続体で連接させた本多面体を展げて設置した状態を示す図である。
【図９】本発明に係わる３個の主面体を接続体で連接した本多面体を閉じる状態、あるいは開く状態を示す図である。
【図１０】本発明に係わる最上面を設けた３個の３面主面体を最上接続部を設けた３部位接続体で連接した本多面体を閉じる状態、あるいは開く状態を示す図である。
【図１１】本発明に係わる３個の主面体を接続体で連接した本多面体を収合した状態を示す図である。
【図１２】本発明に係わる最上面を設けた３個の３面主面体を、最上接続部を設けた３部位接続体で連接した本多面体を収合した状態を示す図である。
【図１３】本発明に係わる２個の見開き体を接続体で連接した本多面体を収合した時の、上面と下面及び上接続部と下接続部の状態を示す破断図である。
【図１４】本発明に係わる３個の見開き体を接続体で連接した本多面体を収合した時の、上面と下面及び上接続部と下接続部の状態を示す破断図である。
【図１５】本発明に係わる本多面体の展げた状態を保持する、保持片と保持台片の作動を示す斜視図である。
【発明を実施するための形態】
【００２５】
本発明のポップアップ多面体は、ポップアップ式グリーテイングカードに、多くのポップアップする構成体を設けることができ、用途を広げるカードホルダーの機能も採り入れるために、見開き面を多く備える手段を、主面体を接続体で連接し、前記主面体と前記接続体とはそれぞれ上面と下面及び上接続部と下接続部とで成し、下接続部の形状をその底辺の両端が鋭角で成る形状に形成させ、それぞれの連接箇所と上下面及び上下部位の境界に折目を設けた多面体の構成をつくって実現し、前記多面体を、前記下接続体が成す傾斜させた折目を作用させて縦方向と横方向とに折畳める構造をつくって、前記多面体をコンパクトに収合させ、展げ易くし、見易い配列にさせることを実現した。
【実施例１】
【００２６】
図１に示すように、本発明のポップアップ多面体は、主面体２と接続体５とで構成する。主面体２を、接続体５を挟んで横方向に連接して面を増やし、前記主面体２を縦方向に上面３と下面４とで構成し、前記接続体５を縦方向に上接続部６と下接続部７とで構成して上下に面を設ける。前記下接続部７はその形状を前記上接続部６との境界を底辺としその両端の角度が鋭角で成る形状にして形成させる。前記主面体２には前記上面３と前記下面４との境界に第１折目８を設け、前記接続体５には前記上接続部６と前記下接続部７との境界に第２折目９を設け、前記上面３を前記上接続部６に連接させてその連接箇所のそれぞれに第３折目１０を設け、前記下面４を前記下接続部７に連接させてその連接箇所にそれぞれ斜めに形成させた第４折目１１を設け本多面体１を構成させる。前記上面３の幅と前記下面４の幅は、同じ幅か又は前記接続体５との連接側に端を揃えたうえで異なる幅にすることもできる。前記下面４の長さは、前記上面３の長さ以下か又は折畳みに支障がない範囲で前記上面３よりも長くすることができる。但し後述する畳み込まれた起伏構成体２４の損傷を防ぐ条件においては、前記下面４を畳み込んだ前記起伏構成体２４が前記上面３からはみださない長さを前記下面４に持たせる。前記本多面体１の外周３１形状は、直線状の形状か又は任意の形状を持たせる。前記本多面体１を構成する前記主面体２及び接続体３に任意の形状の開口を設けることができ、さらに折目の線上にも本多面体の強度が保てる範囲で任意の形状の開口を設けることができる。
【００２７】
図１、図４に示すように、連接させたそれぞれの主面体２の上面３と下面４とで第１見開き面１２を形成し、前記上面３と前記上接続部６とで第２見開き面１３を形成して、複数の見開き面をつくる。前記第１見開き面１２及び前記第２見開き面１３の全て又はいずれかに、ポップアップ機構２２と構成体２４とで成る起伏構成体２４を設ける。前記第１見開き面１２は縦方向に開閉し、前記第２見開き面１３は横方向に開閉するので、それぞれの前記見開き面に設けた起伏構成体２４は縦方向と横方向にポップアップする。見開き面と起伏構成体２４の個数は、連接する主面体２の個数を増やすことで必要に応じて個数を増やしていくことができる。本多面体１の用途を広げる手段となるカードホルダー２７は、第１見開き面１２を成す上面３に設けるが、詳細は００３６項に記載する。
【００２８】
図１３に示すように、本多面体１を収合させるには、まず、下面４と下接続部７とを連接させた状態で第１折目８と第２折目９にて折畳んで、それぞれの前記第１見開き面１２に設けたそれぞれの起伏構成体２４を上面側３へ畳み込んで成る収蔵主面体２３をそれぞれ形成させる。次いでそれぞれの前記収蔵主面体２３を、第３折目１０で折曲げて前記第２見開き面１３に設けた前記起伏構成体２４を畳み込み、最後にそれぞれの前記収蔵主面体２３を相互に向き合うかたちにして収合多面体３４を形成させる。収合の一連の動作において、接続体５の下接続部７の形状が、その下接続部７と連接している下面４との連接箇所の折目に傾斜を形成させるので、前記下面４が前記上面３に対して傾斜するかたちとなり前記下面４と前記上面３との間にＶ字近似形状の空間をつくる。その空間に、畳み込まれた前記起伏構成体２４が収蔵され、且つ前記起伏構成体２４の損傷を防ぐ。さらに前記下接続部７の面が上接続部６の面に密着するので収蔵主面体３３を折曲げる支点になって、折曲げる動作を容易にし、Ｖ字近似形状の空間を保持し、収合多面体３４の歪を抑える役割を果たす。下接続部７が形成する鋭角によって下面４がつくるＶ字近似形状の角度が決まるので、前記下接続部７を形成する鋭角を、その下接続部７に連接されたそれぞれの下面４によって上面３側に畳込まれた、それぞれの起伏構成体２４の厚みに応じて変更させることで、畳み込まれた前記起伏構成体２４の厚みに合うＶ字近似形状の空間をつくり、損傷を防ぐ効果をさらに高める。
【００２９】
図１１、図１３に示すように、２個の主面体を連接する場合も前記図１１の３個の主面体を連接させるのと同様に、本多面体１を収合させた形態は、それぞれの収蔵主面体３３が相互に向き合うかたちで収合多面体３４として形成される。この収合多面体３４は、上接続部６と前記収蔵主面体３３を成す上面とが、本の背表紙と表裏表紙のように、内側の起伏構成体２４を保護し、前記収合多面体３４が歪むのを防ぐ。前記収合多面体３４は、収合した状態の上面３から下面４又は起伏構成体２４がはみださない前提で、大きい方の上面３を表面積とし接続体５の幅を高さとする立体状の形状にしてコンパクトに収合させる。前記収合多面体３４には、その収合多面体３４を閉じた状態に保つための、留め装具を設ける
【００３０】
図９に示すように、２個の主面体を連接する場合も前記図９の３個の主面体を連接させるのと同様に、収合多面体３４を成す収蔵主面体３３を展げる時には、下接続部７が鋭角で形成されていることにより、折畳まれた下面４と下接続部７との形状が、第１折目８と第２折目側９で長く他方側で短い形状になり、前記収合多面体３４を成す収蔵主面体３３を左右に開く力が、折畳まれた状態の前記下面４と前記下接続部７とを引起こす作用に働いて畳み込まれている起伏構成体２４をポップアップさせ、簡単に収合多面体３４を展げることができる。
【００３１】
図４に示すように、展げた本多面体１を設置する時には、連接した下面４と下接続部７が設置面となり、前記下接続部７の底辺の両端が鋭角で形成されていることにより、連接した下面４と前記下接続部７の形状を奥側の第１折目８と第２折目９側に広く手前側に狭い扇状に形成させるので、前記上面３と前期上接続部５を介して隣り合う上面３とが相互に鈍角の配列に成り観賞者を取り囲むように並ぶので見易くし、前面からポップアップしている起伏構成体２４の全てをパノラマのように観賞することができる。
【００３２】
図４に示すように、展げた形態では、下接続部７の形状が、連接した下面４と前記下接続部７の形状を扇状に形成させるので、その扇状の形状の左右端の最前端と中央部の最後端の奥行きが長くなり、本多面体１を展げた形態が倒れ難くなる。
【００３３】
主面体２に設けた第１折目１２と接続部５に設けた第２折目１３を、前記主面体２と前記接続５との連接箇所に十字に交わる線上に設け、且つ上面３と上接続部６との連接箇所に設けた第３折目１０を相互に並行にして、本多面体１を収合していく精度を高め、収合させる動作を容易にし、収合した本多面体１の形状の歪を小さくする。前記十字は、直角又は収合多面体の歪みを許容できる角度とし、前記第３折目１０の並行は、平行又は収合多面体３４の歪みを許容できる範囲の並びとする。前記第３折目１０の並行の幅は、前記上接続部６側に折曲げられた２つの収蔵主面体３３の厚み以上又は収合多面体３４の歪みを許容できる範囲で２つの前記収蔵主面体３３の厚み以下にする。
【実施例２】
【００３４】
図２、図５、図６、図９、図１１、図１４に示すように、主面体２の個数は、接続体５を介して連接していくことで必要な個数に増やしていける。主面体２を三個以上連接する場合は、最初に折曲げられる収蔵主面体３３を接続させた接続体５の幅を、２つの収蔵主面体３３を内包させるので狭くし、最後に折曲げられる収蔵主面体３３を接続させた接続体５の幅を、連接した全ての収蔵主面体３３の個数を内包させることができるよう最も広くして、それぞれの接続体５に接続させた収蔵主面体３３が、上接続部６で折曲げられる順序に応じて変更させることで、３個以上に連接する主面体２の個数が増えても、上面３をはみだす下面４又は起伏構成体２４がない前提において、最も大きい主面体２を表面積とし最も幅の広い接続体５を高さとする立体形にして、コンパクトに収合できる。因みに、収合多面体３４の大きさは、上面３をＬ版又は手札版サイズの写真を挿出入できるカードホルダー２７の大きさにして、主面体２を３個あるいは４個連接した場合では、ＪＩＳ洋１封筒で郵送できる大きさになる。三個以上の主面体２を連接する場合は、収蔵主面体２の折曲げを、一方向から折曲げるか又は左右から順次折曲げるか又は左右から不規則に折曲げるかを選択できる。さらに主面体２を挟んだ両側の接続体５の下接続部７が成す鋭角は、前記主面２の下面４と接続する側を同じにすることによって、収蔵主面体３３に畳み込まれた起伏構成体２４の損傷を少なくし、収合多面体３４の歪みを抑える。但し前記の鋭角は、前記主面体２を収合させた収合多面体３４の歪が許容できる範囲で相互の角度に差異を設けることができる。
【実施例３】
【００３５】
図３、図７、図８、図１０、図１２に示すように、主面体２の上方に最上面１６を設けた３面主面体１５を、接続体５の上方に最上接続部１８を設けた３部位接続体１７を介して横方向に連接して、３面からなる主面体と３部位から成る接続体で多面体を構成する。前記３面主面体１５には前記最上面１６を上面側３に折畳む第５折目１９を設け、前記３部位接続体１７には前記最上接続部１８を上接続部側６に折畳む第６折目２０を設け、前記最上接続部１８には前記第６折目２０を底辺としその底辺の両端の角度が鋭角で成る形状をもたせ、前記最上面１６と前記最上接続部１８と連接させその連接箇所にそれぞれ第７折目２１を設ける。前記最上面１６と前記上面３とで第３見開き面１４を形成し、その第３見開き面１４の全て又はいずれかに起伏構成体２４を接合させて、縦方向にポップアップさせる起伏構成体２４を増やし、収合多面体３４の強度と前記収合多面体３４を展げた形態の構造上の強度を増やし、且つ展げた時には、本多面体１の最上箇所の端面を現さなくして美観を高める。連接する上面３及び上接続部６の長さは、同じか又は収合多面体３４の歪が許容できる範囲の長さの差異とし、最上面１６と下面４の長さは、その和を上面３の長さ以下とし、畳み込んだ起伏構成体２４が最上面１６又は下面４よりも長い場合は、それぞれの起伏構成体２４が重ならない長さ又は収合多面体３４の歪が許容できる範囲の長さの差異にする。なお３個以上の３面主面体１５を連接する場合の、３部位連接体１７の幅の条件は、前述の００３４項と同じにする。
【実施例４】
【００３６】
図４、図５．図６、図７、図８に示すように、第１見開き面１２を成す上面３の全て又はいずれかにポップアップ機構２２を介してカードホルダー用の額縁２６を取り付けて、前記上面３を背面として成るカードホルダー２７を設ける。前記カードホルダー用の額縁２６は本多面体１を閉じた時には圧され、展いた時には前記上面３との間に隙間を生じさせてカード３０を挿出入し易くする。さらに前記カードホルダー２７の表面と下面４とで成る見開き面２５及び前記カードホルダー２７の表面と上接続部６とで成る見開き面の全て又はいずれかに起伏構成体を設ける。３面主面体１５の上面３に前記カードホルダー２７を設ける場合には、最上面１６と前記カードホルダー用の額縁２６との全て又はいずれかに前記起伏構成体２４を設ける。カードホルダー２７を設ける場合の上面３の大きさは、前記カードホルダー２７の大きさ以上にし、起伏構成体２４のみを設けた上面３と接続体５を介して連接する場合には、前記起伏構成体２４のみを設けた前期上面３の大きさを、カードホルダー２７を設けた上面３と同じか又は収合多面体３４の歪が許容できる範囲の大きさの差異にする。カード３０の挿出入は、最上面１６がある場合は横方向から行い、カードホルダー２７を設けた３面主面体１５を本多面体１の両端よりも内側に配置する場合は、最上面１６の上部に挿出入用の開口を設けるか又は該当する主面体の最上面１６そのものを無くする。カードホルダー２７は、カードホルダー用の額縁２６に台座を設けて上面３と接合するか又はカードホルダーそのものを主面３に装着することもできる。さらに、カードホルダー２７を設けない本多面体１も備える。
【実施例５】
【００３７】
図４、図５、図６、図７、図８に示すように、カードホルダーの機能は、グリーテイングカードを多用途に利用する手段として用いる。グリーテイングカードとしてメッセージカード２９を挿入して送られてきた本多面体１のカード３０を入れ替えて写真２８を挿入して用いると、ポップアップ式フォトフレームになり、画像カードを挿入して用いるとポップアップ式インテリア装飾具になり、折々の行事や記念イベントを表す起伏構成体２４を備えて写真２８を挿入するとポップアップ式アルバムになる。
【００３８】
観光地やテーマパークのシンボルを起伏構成体２４に形成してカードホルダーに記念写真を挿入するとポップアップ式観光記念品又は土産品になり、季節を起伏構成体２４で表現してカレンダーカードを挿入するとポップアップ式カレンダーになり、キャラクターを起伏構成体２４にして写真又は画像カードを挿入するとポップアップ式キャラクター玩具になり、物語を起伏構成体２４で表現して連接すると新方式のポップアップ式パノラマ童話本になる。
【００３９】
ミニインテリア空間を起伏構成体２４で表現して連接するとポップアップ式商用ミニサンプルになり、商品訴求を起伏構成体で表現して商品写真又は宣伝カードを挿入して用いるとポップアップ式販売促進用のＰＯＰになり、さらに収合多面体３４が形成するＶ字近似形状の空間に、壊れやすい物品を収めて保護しコンパクトに収蔵できる収納用具としても利用できる。
【００４０】
図４、図５、図６、図７、図８に示すように、主面体３と接続体５と起伏構成体２４とカードホルダー用の額縁２６とに、用途に相応しい図柄、キャラクター柄、彩色、文字、凹凸加工、装飾片貼付け加工、等の演出用装飾を施して本多面体１の演出効果を高める。さらに、自作の演出用装飾を施せる仕様として、前述の各部位を無地白色にしたものも備える。
【００４１】
本多面体１に、ＬＥＤ等による光効果装置及びメロデイーや音声等の音響効果装置等を付加することで、用途を更に拡げ、且つ演出効果を一層高める。
【実施例６】
【００４２】
図１５に示すように、上面３とその上面側に折畳める下面４で構成した主面体２又は前記主面体２の上方に前記上面側に折畳める最上面１６を設けた３面主面体１５のそれぞれの前記上面３に引起し式の保持片３６を設け、前記主面体２の前記下面４又は前記３面主面体１５の前記最上面１６及び前記下面４に保持台片３７を設ける。その保持台片３７を、ポップアップ機構２２を介してそれぞれの前記上面３と接合し、前記主面体２の前記下面４又は前記３面主面体１５の前記最上面１６及び前記下面４を下方又は上下方向に展げて前記保持台片３７をポップアップさせる。そのポップアップさせた前記保持台片３７に前記保持片３６を引起して乗せる構造を備えて、本多面体１を展げた形態での、前記上面３と前記下面４又は前記上面３と前記最上面１６及び前記下面４との開きを直角又は直角近似の角度に保持して見易く且つ安定した状態に保持する。
【００４３】
なお、起伏構成体は、第一見開き面及び第２見開き面及び第３見開き面の全ての面か又はいずれか２つの見開き面か又はいずれか１つの見開き面に設けてもよい。
【産業上の利用可能性】
【００４４】
本発明のポップアップ多面体は、縦方向と横方向にポップアップする起伏構成体を備えていること、用途を広げるカードホルダーを備えていること、情景の表現や用途の表示をする場面を横方向に増やせること、展げた形態を安定した状態で自立させておけること、使用後はコンパクトに収合できること、等の特徴により複数の分野で利用できる。
【００４５】
本多面体は、用途を広げる手段として、カードホルダーを採り入れ、そのカードホルダーにメッセージカード、写真、画像カードを挿入して、ポップアップ式グリーテイングカード、ポップアップ式フォトフレーム、ポップアップ式アルバム、ポップアップ式インテリア用品、ポップアップ式カレンダー、等に用途を広げ、家庭用に適用させる。
【００４６】
本多面体は、キャラクターを起伏構成体にしてカードホルダーに写真又は画像カードを挿入するとポップアップ式キャラクター玩具になり、物語を起伏構成体で表現して連接すると新方式のポップアップ式パノラマ童話本になり、数字カードや文字カードを挿入すると遊びながら学べるポップアップ式学習玩具になり、幼児用のお店屋などを起伏構成体にして横に連接するとポップアップ式の社会学習玩具になる、等の幼児や児童用の玩具や知育用品の用途に適用させる。
【００４７】
本多面体は、観光地やテーマパークのシンボルを起伏構成体にして記念写真を挿入するとポップアップ式観光記念品又は土産品になり、住宅空間などを起伏構成体で表現して連接するとポップアップ式ミニ商用サンプルになり、商品訴求を起伏構成体で表現して商品写真又は宣伝カードを用いるとポップアップ式販売促進用ＰＯＰ又はポップアップ式パンフレットになり、さらに収合多面体３４が形成するＶ字近似形状の空間に、壊れやすい物品を収め保護して、コンパクトに収蔵できる収納用具として利用する、等の商業用途にも適用できる。
【符号の説明】
【００４８】
１．本多面体
２．主面体
３．上面
４．下面
５．接続体
６．上接続部
７．下接続部
８．第１折目
９．第２折目
１０．第３折目
１１．第４折目
１２．第１見開き面
１３．第２見開き面
１４. 第３見開き面
１５．３面主面体
１６．最上面 
１７．３部位接続体
１８．最上接続部
１９．第５折目
２０．第６折目
２１．第７折目
２２．ポップアップ機構
２３．構成体
２４．起伏構成体
２５.  カードホルダーの表面と主面体の下面及び上接続部で成る見開き面
２６.  カードホルダー用の額縁
２７． カードホルダー
２８.  写真
２９.  メッセージカード
３０.  カード
３１.  外周
３２.  開口
３３.  収蔵主面体
３４.  収合多面体
３５.  畳み込まれた起伏構成体
３６.  保持片
３７.  保持台片
【図１】
2010247356.tif 000003
【図２】
2010247356.tif 000004
【図３】
2010247356.tif 000005
【図４】
2010247356.tif 000006
【図５】
2010247356.tif 000007
【図６】
2010247356.tif 000008
【図７】
2010247356.tif 000009
【図８】
2010247356.tif 000010
【図９】
2010247356.tif 000011
【図１０】
2010247356.tif 000012
【図１１】
2010247356.tif 000013
【図１２】
2010247356.tif 000014
【図１３】
2010247356.tif 000015
【図１４】
2010247356.tif 000016
【図１５】
2010247356.tif 000017
【手続補正書】
【提出日】平成21年4月30日(2009.4.30)
【手続補正１】
【補正対象書類名】明細書
【補正対象項目名】全文
【補正方法】変更
【補正の内容】
【発明の詳細な説明】
【技術分野】
【０００１】
本発明は、ポップアップ式グリーテイングカードに関する。
【背景技術】
【０００２】
従前のポップアップ式グリーテイングカードは、コンパクトなサイズでありながら、メッセージの内容を演出する構成体を収蔵し、開くとその構成体がポップアップしてきて演出効果を高める利点を備えている。しかしながら、見開き面が少ないためにポップアップする構成体の配置に制約があって演出効果が不十分であり、用途もメッセージを伝えるという一過性の利用に限られる欠点があった。その欠点を改善するには、見開き面の数を増やして、ポップアップする構成体を多数設けられるようにし、用途を広げる方法としてカードホルダーの機能を採入れてメッセージカードや写真や画像カードなどを利用できるようにすることが要件になる。反面、前述の要件を採り入れると、ポップアップ式グリーテイングカードは、面積が大きくなり且つ複雑な構造になって、コンパクトに収合すること、簡単に展げること、見易い配列にすることが、極めて困難になるという問題が生じる。
【先行技術文献】
【特許文献】
【０００３】
【特許文献１】登録実用新案第３０４８１８６号公報
【特許文献２】特許公開２００２−２２４４６５号公報
【特許文献３】登録実用新案第３０９００９３号公報
【特許文献４】登録実用新案第３０４５６８８号公報
【特許文献５】登録実用新案第３００９７７０号公報
【特許文献６】登録実用新案第３１３８８１７号公報
【発明の概要】
【発明が解決しようとする課題】
【０００４】
ポップアップ式グリーテイングカードに、ポップアップする構成体を多く設けることができ、カードホルダーの機能も採り入れることができるように、多くの見開き面が備えられる構成をつくり、且つコンパクトに収合でき、簡単に展げることができて、展げた配列を見易くする構造をつくる。
【課題を解決するための手段】
【０００５】
本発明のポップアップ多面体は、主面体を、接続体を介して横方向に連接させて構成する。前記主面体は、縦方向に上面と下面とで構成させ、前記接続体は、縦方向に上接続部と下接続部とで構成させ、前記下接続部を、前記上接続部との境界を底辺としその両端の角度が鋭角で成る形状に形成させる。前記主面体には前記上面と前記下面との境界に第１折目を設け、前記接続体には前記上接続部と前記下接続部との境界に第２折目を設け、前記上面を前記上接続部に連接させてその連接箇所にはそれぞれに第３折目を設け、前記下面を前記下接続部に連接させてその連接箇所にはそれぞれ第４折目を設けて多面体を構成させる。
【０００６】
それぞれの主面体の上面と下面とに第１見開き面を形成させ、それぞれの前記上面と上接続部とに第２見開き面を形成させて縦方向と横方向に開閉する複数の見開き面を設ける。それらの見開き面の全て又はいずれかに、ポップアップ機構と構成体とで成る起伏構成体を設けて、複数の起伏構成体を縦方向と横方向にポップアップさせる構造を備える。
【０００７】
それぞれの第１見開き面に設けた起伏構成体を、連接させた下面と下接続部とで第１折目と第２折目で折畳んで上面側へ畳み込みそれぞれの前記起伏構成体を収蔵させて成る収蔵主面体をそれぞれ形成させ、それぞれの前記収蔵主面体で、それぞれの前記第２見開き面に設けた前記起伏構成体を上接続部側へ畳み込み、最終的に前記収蔵主面体を、お互いに向き合うかたちにした収合多面体に収合させる。
【０００８】
下接続部の形状を、その底辺の両端の角度が鋭角で成る形状に形成させて下面と連接させ、その連接箇所の折目に傾斜を持たせることで、収合多面体を形成させる動作が、前記下面を上面に対して鋭角に傾斜させて、前記上面との間にＶ字近似形状の空間をつくる作用に働き、その空間に、畳み込まれた前記起伏構成体を収蔵させ且つ損傷から守る。さらに前記下接続部を形成する面が上接続部を形成する面に密着するので前記収蔵主面体を折曲げる時には支点の役目を果たす。前記収蔵主面体を収合させた前記収合多面体は、それぞれの前記収蔵主面体を、前記上接続部を挟んで向き合うかたちにして収合させているので、前記上面の外周から前記下面又は前記起伏構成体が食み出ない前提において、最も大きい上面を表面積とし接続体の幅を高さとする立体形にして、本ポップアップ多面体をコンパクトに収合させる。
【０００９】
下接続部の形状を、その底辺の両端の角度が鋭角で成る形状に形成させているので、連接させた前記下接続部と下面との横幅が上面側で長く他方の先端側で短くなり、収合多面体を展げる動作によって、畳込まれている前記下面と前記下接続部とを引起こす作用が働いて全ての起伏構成体をポップアップさせ、且つ前記上面と、前記上接続部を介して隣り合う上面とを相互に鈍角の配列にして観賞者を取り囲むように並らべる。さらに連接させた前記下面と前記下接続部の形状が奥側の前記上面側で広く手前に狭いほぼ扇状の形状になるので、その扇状の形状が左右端の最前端と中央部の最後端との奥行きを長くし、連接させた前記下面と前記下接続部とを設置面とする本ポップアップ多面体を倒れ難くする。
【００１０】
主面体に設けた第１折目と接続体に設けた第２折目を、前記主面体と前記接続体との連接箇所に十字に交わる線上に設け、且つ上面と上接続部との連接箇所に設けたそれぞれの第３折目を、相互に並行にさせて、収合多面体の歪を抑える。さらに下接続部の底辺両端の鋭角が、Ｖ字近似形状の傾斜角度を定める構造であるので、前記鋭角のそれぞれの角度を、前記下接続部を挟んで連接させたそれぞれの下面によって上面側へ畳み込まれた起伏構成体のそれぞれの厚みに応じて変更させて、畳み込まれた前記起伏構成体のそれぞれの厚みに合わせたＶ字近似形状の空間をつくり、前記起伏構成体の損傷を防ぐ効果を高める。
【００１１】
３個以上の主面体を連接させたそれぞれの接続体の幅を、最初に折曲げられる収蔵主面体を接続させた接続体の幅は、２つの収蔵主面体を内包させるので狭くし、最後に折曲げられる収蔵主面体を接続させた接続体の幅は、連接した全ての収蔵主面体の個数を内包させるので最も広くなるようにして、それぞれの接続体の上接続部に接続させた収蔵主面体が前記上接続部で折曲げられる順序に応じて変更させることで、３個以上に、連接する主面体の個数が増えても、上面の外周から下面又は起伏構成体が食み出さない前提において、最も大きい上面を表面積とし最も幅の広い接続体を高さとする立体形にして、コンパクトに収合させる。
【００１２】
主面体の上方に最上面を設けて３面主面体にし、接続体の上方に最上接続部を設けて３部位接続体にして、前記３面主面体を、前記３部位接続体を介して横方向に連接し、前記最上面と上面とで縦方向に開閉する第３見開き面を形成させて起伏構成体を設けて、縦方向にポップアップする前記起伏構成体を増やす。
【００１３】
本ポップアップ多面体の用途を広げる手段として、第１見開き面を成す上面の全て又はいずれかに、ポップアップ機構を介してカードホルダー用の額縁を接合させて形成したカードホルダーを設け、そのカードホルダーの表面と下面及び上接続部とに形成させたそれぞれの見開き面の全て又はいずれかに起伏構成体を設ける。
【００１４】
上面とその上面側に折畳める下面で構成した主面体又は前記主面体と同じ構成の主面体の上方に上面側に折畳める最上面を設けた３面主面体のそれぞれの上面に、引起し式の保持片を設け、前記主面体の前記下面又は前記３面主面体の前記最上面と下面とに保持台片を設ける。その保持台片を、ポップアップ機構を介してそれぞれの前記上面と接合させて、前記保持台片を、前記主面体の下面又は前記３面主面体の最上面及び前記下面をそれぞれ前記上面より展げてポップアップさせ、ポップアップさせた前記保持台片に前記保持片を引起して乗せる構造を備えて、前記主面体と前記３面主面体の綴じ込みを防ぐ。
【発明の効果】
【００１５】
本発明のポップアップ多面体は、主面体を、接続体を介して横方向に連接させ、前記主面体には上面と下面を設け、前記接続体には上接続部と下接続部を設け、前期上面と前記下面及び前記上接続部と下接続部のそれぞれの境界と、前記上面と前記上接続部及び前記下面と前記下接続部のそれぞれの連接箇所に折目を設け、それぞれの前記上面と前記下面とに第１見開き面を形成させ、それぞれの前記上面と前記上接続部とに第２見開き面を形成させた構成を備えているので、次の２つの効果をもつ。１は、縦方向と横方向に開閉する複数の見開き面を備えることができる効果、２は、複数の前記見開き面に縦方向と横方向にポップアップさせる起伏構成体を複数設けることができる効果、である。
【００１６】
前述の構成において、接続体の下接続部の形状を、上接続部との境界を底辺としてその両端の角度が鋭角で成る形状にしているので、前記下接続部と下面とを連接させたその連接箇所に設けたそれぞれの折目が傾斜を備えることになり、次の４つの効果を生む。１は、その傾斜が、複数の起伏構成体を縦方向に畳み込みそれぞれに収蔵主面体を形成させていく過程で、前記下接続部に連接させた前記下面を上面に対して鋭角に傾斜させ、前記下面と前記上面との間にＶ字近似形状の空間をつくりだして、畳み込まれた起伏構成体を収蔵する効果、２は、前述の空間に収蔵させた前記起伏構成体を損傷から守る効果、３は、前記起伏構成体を収蔵させたそれぞれの前記収蔵主面体をさらに横方向に折り曲げていく過程で、前記下接続部を形成する面が前記上接続部を形成する面に密着して折曲げる動作の支点になり、畳み込まれた前記起伏構成体に厚みがあるにも拘わらず、折曲げに支障を生じさせない効果、４は、前記収蔵主面体を収合させた最終的な構造体である収合多面体の歪みを抑える効果、である。
【００１７】
収合多面体には、それぞれの収蔵主面体が上接続部を挟んで向合うかたちに収合されるので、次の２つの効果を生む。１は、それぞれの前記収蔵主面体を構成する上面のうち、大きい方の上面の外周から下面又は起伏構成体が食み出さない前提において、本ポップアップ多面体を、大きい方の前記上面を表面積とし前記上接続部の幅を高さとする立体状の形状にして、コンパクトに収合させる効果、２は、前記上接続部とそれぞれの前記収蔵主面体の上面とが、本の背表紙と表裏表紙のように、収合された前記起伏構成体を抱え込むように保護する効果、である。
【００１８】
下接続部の形状の両辺が傾斜を成すことで、連接した下面と下接続部の横幅を、上面側で長く他方の先端側で短くし、且つ連接した前記下面と前記下接続部の形状を、奥側の上面側で広く他方の手前側で狭いほぼ扇状の形状にするので、次の３つの効果を生む。１は、収合多面体を展げる時、その展げる動作が、畳み込まれた状態にある連接した前記下面と前記下接続部とを引起こす作用に働いて、前記収合多面体を簡単に展げ、畳み込まれた全ての起伏構成体を容易にポップアップさせる効果、２は、展げた前記収合多面体を設置する時には、上面と、上接続部を介して隣り合う上面とを相互に鈍角を成す配列にして観賞者を取り囲むように並べ、見易くする効果、３は、連接させた前記下面と前記下接続部の形状がほぼ扇状になるので、その扇状の形状の左右端にある最前端と中央部にある最後端との奥行きを長くして、前記下面と前記下接続部を設置面とする本ポップアップ多面体を倒れ難くする効果、である。
【００１９】
上面と下面との境界の折目と上接続部と下接続部との境界の折目を、主面体と接続体の連接箇所に対して十字に交わる線上に設け、且つ上面と上接続部との連接箇所のそれぞれの折目を相互に並行することによって、次の２つの効果を生む。１は、縦方向への折畳みと横方向への折曲げの精度を上げて収合多面体の形状の歪を小さくする効果、２は、収蔵する時及び展げる時に起伏構成体の損傷を防ぐ効果、である。さらに下接続部の底辺の両端の鋭角が、畳み込まれた前記起伏構成体を収蔵するＶ字近似形状の傾斜角度を定める構造であるので、前記下接続部を挟んで接続されたそれぞれの下面が上面側に畳込んだ起伏構成体のそれぞれの厚みに応じて、前記下接続部の底辺の両端の鋭角を、それぞれ変更させることによって、次の２つの効果を生む。１は、前記起伏構成体のそれぞれの厚みに合ったＶ字近似形状の空間をつくり収蔵をさせる効果、２は、前記起伏構成体の損傷を防ぐ効用を高める効果、である。
【００２０】
３個以上の主面体を連接させたそれぞれの接続体の幅を、最初に折曲げられる収蔵主面体を接続させた接続体の幅は、２つの収蔵主面体を内包させるので狭くし、最後に折曲げられる収蔵主面体を接続させた接続体の幅は、連接した全ての収蔵主面体の個数を内包させるので最も広くなるようにして、それぞれの接続体の上接続部に接続させた収蔵主面体が、前記上接続部との接続箇所に設けた折目で折曲まげられる順序に応じて変更させることで、次の３つ効果を持つ。１は、３個以上に連接する主面体の個数が増えても、上面の外周から下面又は起伏構成体が食み出さない前提において、最も大きい上面を表面積とし最も幅の広い接続体を高さとする立体形にして、コンパクトに収合できる効果、２は、連接する主面体の個数を３個以上に増やすことができ、見開き面とポップアップする構成体を増やすことができる効果、３は、収蔵主面体を折曲げる順序を、一方向から折曲げるか又は左右から順次折曲げるか又は左右から不規則な順序で折曲げるかを選ぶことができる効果、である。
【００２１】
主面体の上方に最上面を設け、接続体の上方に最上接続部を設けて、前記主面体の面を縦方向に３面にさせることで、次の３つの効果を生む。１は、前記最上面と上面とに見開き面を設けることができるので縦方向にポップアップする起伏構成体を増やすことができる効果、２は、縦方向に３つの面で成る本ポップアップ多面体を収合した形態と展げた形態の構造上の強度が増す効果、３は、展げた時に、前記本ポップアップ多面体の最上箇所の端面を現さないので美観を高める効果、である。
【００２２】
用途を広げるためにカードホルダーの機能を設けるのは先例に見られるが、本発明は、カードホルダー用の額縁をポップアップ機構を介して主面に取り付ける構造を持つ新しい方式のカードホルダーであるので、次の効果がある。本ポプアップ多面体を収合させた時は前記額縁を圧して厚みを押さえ、展げた時には前記額縁と前記主面の間に隙間が開いてカードを挿出入し易くする効果、である。
【００２３】
起伏構成体を備えた見開き面の綴じ込みを防ぐために、引起こし式の保持片を設けている先例はあるが、本発明は、引き起こし式の保持片とポップアップさせる保持台片とを併用するので、次の２つの効果がある。１は、主面体を展げた形態での上面と下面又は３面主面体を展げた形態での上面と最上面及び下面との開き角度を直角又は直角に近い角度に保持できる効果、２は、展げた主面体又は３面主面体の強度が増す効果、である。
【図面の簡単な説明】
【００２４】
【図１】本発明に係わる２個の主面体を接続体で連接した形状の展開図である。
【図２】本発明に係わる３個の主面体を接続体で連接した形状の展開図である。
【図３】本発明に係わる最上面を設けた５個の３面主面体を、最上接続部を設けた３部位接続体で連接した形状の展開図である。
【図４】本発明に係わる２個の主面体を接続体で連接した本ポップアップ多面体を、展げて設置した状態を示す図である。
【図５】本発明に係わる３個の主面体を接続体で連接した本ポップアップ多面体を、展げて設置した状態を示す図である。
【図６】本発明に係わる３個の主面体を接続体で連接した本ポップアップ多面体を、展げて設置した状態での外周形状と接続部に施した開口形状の例を示す図である。
【図７】本発明に係わる最上面を設けた３個の３面主面体を、最上接続部を設けた３部位接続体で連接した本ポップアップ多面体を展げて設置した状態を示す図である。
【図８】本発明に係わる最上面を設けた５個の３面主面体を、最上接続部を設けた３部位接続体で連接させた本ポップアップ多面体を展げて設置した状態を示す図である。
【図９】本発明に係わる３個の主面体を接続体で連接して収蔵した収蔵主面体を閉じる状態、あるいは開く状態を示す図である。
【図１０】本発明に係わる最上面を設けた３個の３面主面体を最上接続部を設けた３部位接続体で連接して収蔵した収蔵主面体を閉じる状態、あるいは開く状態を示す図である。
【図１１】本発明に係わる３個の主面体を接続体で連接して収合した収合多面体を示す図である。
【図１２】本発明に係わる最上面を設けた３個の３面主面体を、最上接続部を設けた３部位接続体で連接して収合した収合多面体を示す図である。
【図１３】本発明に係わる２個の収蔵主面体を収合させて形成した収合多面体の、上面と下面及び上接続部と下接続部の状態を示す破断図である。
【図１４】本発明に係わる３個の収蔵主面体を収合させて形成した収合多面体の、上面と下面及び上接続部と下接続部の状態を示す破断図である。
【図１５】本発明に係わる主面体及び３面主面体の綴じ込みを防ぐ、保持片と保持台片の作動を示す斜視図である。
【発明を実施するための形態】
【００２５】
本発明のポップアップ多面体は、縦方向と横方向にポップアップする複数の起伏構成体と、用途を広げるためのカードホルダーを設けられるように、縦方向と横方向に開閉する見開き面を備え、しかも増やせる構成をつくり、構成面の形状と折目とによって、収蔵した起伏構成体を損傷無く縦方向と横方向に畳み込みコンパクトに収蔵できる構造を備え、観賞する時には、簡単に展げられ、展げると起伏構成体又はカードホルダーを設けた上面を観賞者を取り囲むように並べて見易くし、且つ安定させて設置できる構造にして、本発明の目的を実現した。
【実施例１】
【００２６】
図１に示すように、本発明のポップアップ多面体は、主面体２と接続体５とで構成する。主面体２を、接続体５を介して横方向に連接して面を増やし、前記主面体２を縦方向に上面３と下面４とで構成し、前記接続体５を縦方向に上接続部６と下接続部７とで構成してそれぞれに上下の面を設ける。前記下接続部７は、その形状を前記上接続部６との境界を底辺としその両端の角度が鋭角で成る形状にして形成させる。前記主面体２には前記上面３と前記下面４との境界に第１折目８を設け、前記接続体５には前記上接続部６と前記下接続部７との境界に第２折目９を設け、前記上面３を前記上接続部６に連接させてその連接箇所のそれぞれに第３折目１０を設け、前記下面４を前記下接続部７に連接させてその連接箇所にそれぞれ第４折目１１を設けて、本ポップアップ多面体を構成させる。前記上面３の幅と前記下面４の幅は、同じ幅か又は前記接続体５との連接側に端を揃えたうえで異なる幅にしてもよい。前記下面４の縦方向の長さは、前記上面３の縦方向の長さ以下とするが、折畳みに支障がない範囲で前記上面３よりも長くしてもよい。但し後述する畳み込まれた起伏構成体２４の損傷を防ぐ条件においては、前記下面４を畳み込んだ時に前記下面４に設けた前記起伏構成体２４が前記上面３の上端から食み出さない状態になるように前記下面４の長さを定める。前記本ポップアップ多面体の外周３１形状は、直線状の形状のほかに任意の形状を持たせてもよい。前記本ポップアップ多面体を構成する前記主面体２及び接続体３の面に任意の形状の開口を設けてもよく、さらに折目の線上にも本ポップアップ多面体の強度が保てる範囲で任意の形状の開口を設けてもよい。
【００２７】
図１、図４に示すように、連接させたそれぞれの主面体２の上面３と下面４とに第１見開き面１２を形成させ、それぞれの前記上面３と前記上接続部６とに第２見開き面１３を形成させて、複数の見開き面をつくる。前記第１見開き面１２及び前記第２見開き面１３の全て又はいずれかに、ポップアップ機構２２と構成体２３とで成る起伏構成体２４を設ける。前記第１見開き面１２は縦方向に開閉し、前記第２見開き面１３は横方向に開閉するので、それぞれの前記見開き面に設けた起伏構成体２４は縦方向と横方向にポップアップさせることができる。見開き面と起伏構成体２４の個数は、連接する主面体２の個数を増やすことで必要に応じて個数を増やしていくことができる。本ポップアップ多面体の用途を広げる手段となるカードホルダー２７は、第１見開き面１２を成す上面３に設けるが、詳細は００３６項に記載する。
【００２８】
図９、図１３に示すように、収蔵主面体３３を収合させるには、２個の収蔵主面体３３を収合する場合も、前記図９の３個の収蔵主面体３３を収合する場合と同様に、まず、下面４と下接続部７とを連接させた状態で第１折目８と第２折目９にて折畳んで、それぞれの前記第１見開き面１２に設けたそれぞれの起伏構成体２４を上面側３へ畳み込み収蔵させて成る収蔵主面体３３をそれぞれ形成させる。次いでそれぞれの前記収蔵主面体３３を、第３折目１０で折曲げてそれぞれの前記第２見開き面１３に設けた前記起伏構成体２４を畳み込み、最後にそれぞれの前記収蔵主面体３３を相互に向き合うかたちにした収合多面体３４を形成させる。収合の一連の動作において、接続体５の前記下接続部７の形状が、その下接続部７と連接している前記下面４との連接箇所に設けたそれぞれの第４折目１０を傾めに形成させるので、前記下面４が前記上面３に対して傾斜するかたちとなり前記下面４と前記上面３との間にＶ字近似形状の空間をつくる。その空間に、畳み込まれた前記起伏構成体２４が収蔵され、且つ前記起伏構成体２４の損傷を防ぐ役割を担う。さらに前記下接続部７を形成する面が上接続部６を形成する面に密着するので、前記収蔵主面体３３を折曲げる支点になって畳み込まれた前記起伏構成体２４に厚みがあるにも拘らず折曲げる動作を容易にし、Ｖ字近似形状の空間を保持し、前記収合多面体３４の歪を抑える役割を果たす。下接続部７が形成する鋭角によって下面４がつくるＶ字近似形状の角度が定まるので、前記下接続部７を形成する鋭角を、その下接続部７を挟んで連接されたそれぞれの前記下面４が、上面３側に畳込んだそれぞれの起伏構成体２４の厚みに応じて変更させることで、畳み込まれた前記起伏構成体２４のそれぞれの厚みに合うＶ字近似形状の空間をつくり、損傷を防ぐ効果をさらに高める。
【００２９】
図１３に示すように、収蔵主面体３３を収合させた形態は、それぞれの収蔵主面体３３が相互に向き合うかたちで収合多面体３４として形成される。この収合多面体３４は、上接続部６と前記収蔵主面体３３を成す上面３とが、本の背表紙と表裏表紙のように、内側の起伏構成体２４を保護し、前記収合多面体３４が歪むのを防ぐ。収合多面体３４は、収合した状態の上面３の外周から下面４又は起伏構成体２４がはみださない前提において、大きい方の上面３を表面積とし接続体５の幅を高さとする立体状の形状にしてコンパクトに収合させる。さらに、本ポップアップ多面体には、前記収合多面体３４を閉じた状態に保つために、フック、バンド、留め付け用接合材、等の留め装具を設ける
【００３０】
図９に示すように、２個の収蔵主面体３３を収合させた収合多面体３４を展げる時には、前記図９の３個の収蔵主面体３３を収合させた収合多面体３４を展げる時と同様に、前記収合多面体３４を成す収蔵主面体３３を展げる動作が、下接続部７が鋭角で形成されていることにより、折畳まれた下面４と前記下接続部７との形状が、上面３の側で長く他方側で短い形状になるので、折畳まれた状態の前記下面４と前記下接続部７とを引起こす作用に働いて、畳み込まれている起伏構成体２４をポップアップさせ、簡単に収合多面体３４を展げることができる。
【００３１】
図４に示すように、展げた本ポップアップ多面体を設置する時には、連接させた下面４と下接続部７が設置面となり、前記下接続部７の底辺の両端が鋭角で形成されていることにより、連接した前記下面４と前記下接続部７の形状を奥側の上面３の側に広く手前側に狭い扇状に形成させて、上面３と、上接続部６を介して隣り合う上面３とを相互に鈍角の配列にして観賞者を取り囲むように並べるので見易くなり、正面からポップアップした状態の起伏構成体２４の全てをパノラマのように観賞することができる。
【００３２】
図４に示すように、本ポップアップ多面体を展げた形態は、下接続部７の形状がその底辺の両端が鋭角で成る形状に形成させているので、連接した下面４と前記下接続部７の形状をほぼ扇状に形成させ、その扇状の形状の左右端の最前端と中央部の最後端の奥行きが長くなり、本ポップアップ多面体を展げた形態を倒れ難くする。
【００３３】
主面体２に設けた第１折目８と接続体５に設けた第２折目９を、前記主面体２と前記接続体５との連接箇所に十字に交わる線上に設け、且つ上面３と上接続部６との連接箇所に設けたそれぞれの第３折目１０を相互に並行にして、収合多面体３４に収合していく精度を高め、収合させる動作を容易にし、収合した収合多面体３４の形状の歪を小さくする。前述の十字は、直角とするか又は収合多面体３４の歪みを許容できる範囲の角度にしてもよく、前記第３折目１０の並行は、平行とするか又は収合多面体３４の歪みを許容できる範囲の並びにしてもよい。前記第３折目１０の並行の幅は、前記上接続部６側に折曲げられ向き合うかたちで収合された収蔵主面体３３の厚み以上とするか又は収合多面体３４の歪みを許容できる範囲で前述の厚み以下にしてもよい。
【実施例２】
【００３４】
図２、図５、図６、図９、図１１、図１４に示すように、主面体２の個数は、接続体５を介して連接していくことで必要な個数に増やすことができる。主面体２を三個以上連接する場合は、最初に折曲げられる収蔵主面体３３を接続させた接続体５の幅を、２つの収蔵主面体３３を内包するので狭くし、最後に折曲げられる収蔵主面体３３を接続させた接続体５の幅を、連接した全ての収蔵主面体３３の個数を内包することができるように最も広くして、それぞれの接続体５の上接続部６に接続させた収蔵主面体３３が、上接続部６との接続箇所に設けられた第３折目１０で折曲げられる順序に応じて変更させる。その変更によって、３個以上に連接する主面体２の個数が増えても、上面３の外周をはみだす下面４又は起伏構成体２４がない前提において、最も大きい上面３を表面積とし最も幅の広い接続体５を高さとする立体形にして、コンパクトに収合できる。因みに、収合多面体３４の大きさを、上面３をＬ版又は手札版サイズの写真を挿出入できるカードホルダー２７の大きさにして、主面体２を３個あるいは４個連接した場合では、ＪＩＳ洋１封筒で郵送できる立方体にすることができる。三個以上の主面体２を連接する場合は、収蔵主面体３３の折曲げ手順を、一方向から折曲げるか又は左右から順次折曲げるか又は左右から不規則な順序で折曲げるかを選択できる。さらに主面体２を挟んだ両側の接続体５の下接続部７が成す鋭角は、前記主面２の下面４と接続する側の鋭角をそれぞれ同じ角度にすることによって、収蔵主面体３３に畳み込まれた起伏構成体２４の損傷を少なくし、収合多面体３４の歪みを抑える効果を増す。但しそれぞれの前述の鋭角は、前記主面体２を収合させた収合多面体３４の歪が許容できる範囲で相互の角度に差異を設けてもよい。
【実施例３】
【００３５】
図３、図７、図８、図１０、図１２に示すように、主面体２の上方に最上面１６を設けた３面主面体１５を、接続体５の上方に最上接続部１８を設けた３部位接続体１７を介して横方向に連接して、３面からなる３面主面体１５と３部位から成る３部位接続体１７で多面体を構成する。前記３面主面体１５には前記最上面１６を上面側３に折畳む第５折目１９を設け、前記３部位接続体１７には前記最上接続部１８を上接続部側６に折畳む第６折目２０を設け、前記最上接続部１８には前記第６折目２０を底辺としその底辺の両端の角度が鋭角で成る形状をもたせ、前記最上面１６と前記最上接続部１８と連接させその連接箇所にそれぞれ第７折目２１を設ける。前記最上面１６と前記上面３とに第３見開き面１４を形成させ、その第３見開き面１４の全て又はいずれかに起伏構成体２４を接合させて、縦方向にポップアップさせる起伏構成体２４を増やし、収合多面体３４の強度と前記収合多面体３４を展げた形態の構造上の強度を増やし、且つ前記3面主面体を収合させた収合多面体３４を展げた時には、前記収合多面体３４の最上箇所の端面を現さなくして美観を高める。連接する前記最上面１６及び前記最上接続部１８の縦方向の長さ、前記上面３及び前記上接続部６の縦方向の長さ、下面４及び下接続部７の縦方向の長さは、それぞれ同じ長さか又は収合多面体３４の歪が許容できる範囲の長さの差異とし、前記最上面１６と前記下面４の長さは、その長さの和を前記上面３の長さ以下とし、第３見開き面１４又は第１見開き面１２に畳み込んだ起伏構成体２４が最上面１６又は下面４からはみだす場合は、それぞれの起伏構成体２４が重ならないか又は収合多面体３４の歪が許容できる範囲の重なりになるように、前記最上面１６と前記下面４の長さを定める。なお３個以上の３面主面体１５を連接する場合の、３部位連接体１７の幅の条件は、前述の００３４項と同じにする。
【実施例４】
【００３６】
図４、図５．図６、図７、図８に示すように、第１見開き面１２を成す上面３の全て又はいずれかにポップアップ機構２２を介してカードホルダー用の額縁２６を取り付けて、前記上面３を背面として成るカードホルダー２７を設ける。前記カードホルダー用の額縁２６は収合多面体３４を閉じた時には圧され、展げた時には前記上面３との間に隙間を生じさせてカード３０を挿出入し易くする。さらに前記カードホルダー２７の表面と下面４とに形成された見開き面２５及び前記カードホルダー２７の表面と上接続部６とに形成させた見開き面の全て又はいずれかに起伏構成体２４を設ける。３面主面体１５の上面３に前記カードホルダー２７を設ける場合には、最上面１６と前記カードホルダー用の額縁２６とに形成させた見開き面の全て又はいずれかにも前記起伏構成体２４を設ける。カードホルダー２７を設ける場合の上面３の大きさは、前記カードホルダー２７の大きさ以上にし、起伏構成体２４のみを設けた上面３と接続体５を介して連接する場合には、前記起伏構成体２４のみを設けた前記上面３の大きさを、カードホルダー２７を設けた上面３と同じにするか又は前記上面３を収合多面体３４に収合した形態での歪が許容できる範囲の大きさの差異にしてもよい。カード３０の挿出入は、最上面１６がある場合は横方向から行い、カードホルダー２７を設けた３面主面体１５を本ポップアップ多面体の両端よりも内側に配置する場合には、最上面１６の上面３側にカード３０を挿出入する開口を設けるか又は該当する３面主面体１５に最上面１６そのものが無い構造にしてもよい。主面体２又は３面主面体１５に設けるカードホルダー２７は、カードホルダー用の額縁２６に台座を設けて上面３と接合する構造か又はカードホルダーそのものを主面３に装着する構造にしてもよい。なお、全ての上面３にカードホルダー２７を設けずに起伏構成体２４のみを設けてもよく、複数の上面を備えた本ポップアップ多面体のいずれかの上面３にはカードホルダーと起伏構成体の両方を設けなくてもよい。さらにカードホルダー用の額縁２６の表面に起伏構成体を設けなくてもよい。
【実施例５】
【００３７】
図４、図５、図６、図７、図８に示すように、カードホルダーの機能を、本ポップアップ多面体を多用途に利用する手段として備える。グリーテイングカードとしてカードホルダー２７に挿入されてきたメッセージカード２９を入れ替えて写真２８を挿入して用いると、ポップアップ式フォトフレームになり、画像カードを挿入して用いるとポップアップ式インテリア装飾具になり、折々の行事や記念イベントを表す起伏構成体２４を備えて写真２８を挿入するとポップアップ式アルバムになる。
【００３８】
観光地やテーマパークのシンボルを起伏構成体２４に形成してカードホルダーに記念写真を挿入するとポップアップ式観光記念品又は土産品になり、季節を起伏構成体２４で表現してカレンダーカードを挿入するとポップアップ式カレンダーになり、キャラクターを起伏構成体２４にして写真又は画像カードを挿入するとポップアップ式キャラクター玩具になり、物語を起伏構成体２４で表現して連接すると新方式のポップアップ式パノラマ童話本になる。
【００３９】
ミニインテリア空間等を起伏構成体２４で表現して連接するとポップアップ式商用ミニサンプルになり、商品訴求を起伏構成体で表現して商品写真又は宣伝カードをカードホルダー２７に挿入して用いるとポップアップ式販売促進用ＰＯＰ又はポップアップ式パンフレットになり、さらに収合多面体３４が形成するＶ字近似形状の空間に、壊れやすい物品を納めて保護しコンパクトに収蔵できる収納用具としても利用できる。
【００４０】
図４、図５、図６、図７、図８に示すように、主面体２と接続体５と起伏構成体２４とカードホルダー用の額縁２６とに、用途に相応しい図柄、キャラクター柄、彩色、文字、凹凸加工、装飾片貼付け加工、等の演出用装飾を施して本ポップアップ多面体の演出効果を高める。さらに、自作の演出用装飾を施せる仕様として、前述の各部位を無地白色にしたものも備える。
【００４１】
本ポップアップ多面体に、ＬＥＤ等による光効果装置及びメロデイーや音声等の音響効果装置等を付加することで、用途を更に拡げ、且つ演出効果を一層高める。
【実施例６】
【００４２】
図１５に示すように、上面３とその上面３側に折畳める下面４で構成した主面体２又は前記主面体２と同じ構成の主面体２の上方に前記上面３側に折畳める最上面１６を設けた３面主面体１５のそれぞれの前記上面３に、引起し式の保持片３６を設け、前記主面体２の前記下面４又は前記３面主面体１５の前記最上面１６と前記下面４とに保持台片３７を設ける。その保持台片３７を、ポップアップ機構２２を介してそれぞれの前記上面３と接合させ、前記主面体２の前記下面４又は前記３面主面体１５の前記最上面１６と前記下面４とを、それぞれ前記上面３より展げて前記保持台片３７をポップアップさせる。そのポップアップさせた前記保持台片３７に前記保持片３６を引起して乗せる構造を備えて、前記主面体２又は前記３面主面体１５を展げた形態での、前記主面体２の前記上面３と前記下面４又は前記３面主面体１５の前記上面３と前記最上面１６及び前記下面４との開き角度を直角又は直角に近い角度に保持して綴じ込みを防いで見易く且つ安定した状態に保持する。
【００４３】
なお、起伏構成体２４は、第１見開き面１２及び第２見開き面１３及び第３見開き面１４の全ての面か又はいずれか２つの見開き面か又はいずれか１つの見開き面に設けてもよい。
【産業上の利用可能性】
【００４４】
本発明のポップアップ多面体は、縦方向と横方向にポップアップする起伏構成体を備えていること、用途を広げるカードホルダーを備えていること、情景の表現や用途の表示を担う場面となる主面体を横方向に増やせること、展げた形態を安定した状態で自立させておけること、使用後はコンパクトに収合できること、等の特徴により複数の分野で利用できる。
【００４５】
本ポップアップ多面体は、用途を広げる手段として、カードホルダーを採り入れ、そのカードホルダーに用途に即したメッセージカード、写真、画像カード等をそれぞれに挿入して、ポップアップ式グリーテイングカード、ポップアップ式フォトフレーム、ポップアップ式アルバム、ポップアップ式インテリア用品、ポップアップ式カレンダー、等に用途を広げ、家庭用に適用できる。
【００４６】
本ポップアップ多面体は、キャラクターを起伏構成体にしてカードホルダーに写真か画像カード等を挿入するとポップアップ式キャラクター玩具になり、物語を起伏構成体で表現して連接すると新方式のポップアップ式パノラマ童話本になり、数字カードや文字カードを挿入すると遊びながら学べるポップアップ式学習玩具になり、幼児用のお店屋などを起伏構成体にして横に連接するとポップアップ式の社会学習玩具になる、等の幼児や児童用の玩具や知育用品の用途に適用できる。
【００４７】
本ポップアップ多面体は、観光地やテーマパークのシンボルを起伏構成体にしカードホルダーに記念写真を挿入するとポップアップ式観光記念品又は土産品になり、住宅空間などを起伏構成体で表現して連接するとポップアップ式ミニ商用サンプルになり、商品訴求を起伏構成体で表現して商品写真又は宣伝カードを挿入するとポップアップ式販売促進用ＰＯＰ又はポップアップ式パンフレットになる、等の商業用途にも適用できる。
【符号の説明】
【００４８】
１．多面体
２．主面体
３．上面
４．下面
５．接続体
６．上接続部
７．下接続部
８．第１折目
９．第２折目
１０．第３折目
１１．第４折目
１２．第１見開き面
１３．第２見開き面
１４. 第３見開き面
１５．３面主面体
１６．最上面 
１７．３部位接続体
１８．最上接続部
１９．第５折目
２０．第６折目
２１．第７折目
２２．ポップアップ機構
２３．構成体
２４．起伏構成体
２５.  カードホルダーの表面と主面体の下面とで成る見開き面
２６.  カードホルダー用の額縁
２７． カードホルダー
２８.  写真
２９.  メッセージカード
３０.  カード
３１.  外周
３２.  開口
３３.  収蔵主面体
３４.  収合多面体
３５.  畳み込まれた起伏構成体
３６.  保持片
３７.  保持台片
【手続補正２】
【補正対象書類名】特許請求の範囲
【補正対象項目名】全文
【補正方法】変更
【補正の内容】
【特許請求の範囲】
【請求項１】
主面体を、接続体を介して横方向に連接させ、前記主面体を縦方向に上面と下面とで構成させ、前記接続体を縦方向に上接続部と下接続部とで構成させ、前記下接続部を、前記上接続部との境界を底辺としその両端の角度が鋭角で成る形状に形成させ、前記主面体には前記上面と前記下面との境界に第１折目を設け、前記接続体には前記上接続部と前記下接続部との境界に第２折目を設け、前記上面を前記上接続部に連接させてその連接箇所にそれぞれ第３折目を設け、前記下面を前記下接続部に連接させてその連接箇所にそれぞれ第４折目を設けて多面体を構成させ、それぞれの前記主面体の前記上面と前記下面とにそれぞれ第１見開き面を、前記上面と前記上接続部とにそれぞれ第２見開き面を形成させて、前記第１見開き面及び前記第２見開き面の全て又はいずれかに、ポップアップ機構と構成体とで成る起伏構成体を設け、それぞれの前記第１見開き面に設けた前記起伏構成体を、連接させた前記下面と前記下接続部とで前記上面側へ畳み込んでそれぞれ収蔵主面体にし、それぞれの前記第２見開き面に設けた前記起伏構成体を前記収蔵主面体で、それぞれ前記上接続部側へ畳み込み向合うかたちに収合させて収合多面体にし、その収合多面体を展げる動作で、連接させた前記下面と前記下接続部とを畳み込まれた状態から引起こして全ての前記起伏構成体をポップアップさせ、且つ前記上面と、前記上接続部を介して隣り合う上面とを相互に鈍角の配列にして並べる構造を備えた、ポップアップ多面体。
【請求項２】
主面体に設けた第１折目と接続体に設けた第２折目を、前記主面体と前記接続体との連接箇所に十字に交わる線上に設け、上面と上接続部との連接箇所に設けた第３折目のそれぞれを、相互に並行にした、請求項１に記載のポップアップ多面体。
【請求項３】
下接続部の底辺の両端の角度を成すそれぞれの鋭角を、前記下接続部を挟んで連接させたそれぞれの下面が上面側へ畳み込んだ起伏構成体のそれぞれの厚みに応じて変更させる、請求項１又は２に記載のポップアップ多面体。
【請求項４】
３個以上の主面体を連接させたそれぞれの接続体の幅を、それぞれの前記接続体の上接続部に接続させた収蔵主面体が、前記上接続部との接続箇所に設けた第３折目で折曲げられる順序に応じて変更させる、請求項１〜３のいずれか１項に記載のポップアップ多面体。
【請求項５】
主面体の上方に最上面を設けた３面主面体を、接続体の上方に最上接続部を設けた３部位接続体を介して横方向に連接させ、前記３面主面体には上面と前記最上面との境界に第５折目を設け、前記３部位接続体には上接続部と前記最上接続部との境界に第６折目を設け、前記最上接続部には前記第６折目を底辺としその両端の角度が鋭角で成る形状を形成させて前記最上面と連接させその連接箇所にそれぞれ第７折目を設け、前記最上面と前記上面とに第３見開き面を形成させ、その第３見開き面の全て又はいずれかに起伏構成体を設けた、請求項１〜４のいずれか１項に記載のポップアップ多面体。
【請求項６】
第１見開き面を成す上面の全て又はいずれかに、ポップアップ機構を介してカードホルダー用の額縁を接合して形成させたカードホルダーを設け、そのカードホルダーの表面と下面及び上接続部とに形成させたそれぞれの見開き面の全て又はいずれかに起伏構成体を設けた、請求項１〜５のいずれか1項に記載のポップアップ多面体。
【請求項７】
上面とその上面側に折畳める下面で構成した主面体又は前記主面体と同じ構成の主面体の上方に上面側に折畳める最上面を設けた３面主面体のそれぞれの上面に、引起し式の保持片を設け、前記主面体の前記下面又は前記３面主面体の前記最上面と前記下面とに保持台片を設け、その保持台片を、ポップアップ機構を介してそれぞれの前記上面と接合させ、前記主面体の前記下面又は前記３面主面体の前記最上面と前記下面とをそれぞれ前記上面より展げてポップアップさせ、ポップアップさせた前記保持台片に前記保持片を引起して乗せる構造を備えた、ポップアップ多面体。
【手続補正４】
【補正対象書類名】図面
【補正対象項目名】図１
【補正方法】変更
【補正の内容】
【図１】
2010247356.tif 000018
【手続補正５】
【補正対象書類名】図面
【補正対象項目名】図１３
【補正方法】変更
【補正の内容】
【図１３】
2010247356.tif 000019
【手続補正６】
【補正対象書類名】図面
【補正対象項目名】図１４
【補正方法】変更
【補正の内容】
【図１４】
2010247356.tif 000020
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
主面体を、接続体を介して横方向に連接させ、前記主面体を縦方向に上面と下面とで構成させ、前記接続体を縦方向に上接続部と下接続部とで構成させ、前記下接続部を、前記上接続部との境界を底辺としその両端の角度が鋭角で成る形状に形成させ、前記主面体には前記上面と前記下面との境界に第１折目を設け、前記接続体には前記上接続部と前記下接続部との境界に第２折目を設け、前記上面を前記上接続部に連接させてその連接箇所にそれぞれ第３折目を設け、前記下面を前記下接続部に連接させてその連接箇所にそれぞれ第４折目を設けて多面体を構成させ、それぞれの前記主面体の前記上面と前記下面とにそれぞれ第１見開き面を、前記上面と前記上接続部とにそれぞれ第２見開き面を形成させて、前記第１見開き面及び前記第２見開き面の全て又はいずれかに、ポップアップ機構と構成体とで成る起伏構成体を設け、それぞれの前記第１見開き面に設けた前記起伏構成体を、連接させた前記下面と前記下接続部とで前記上面側へ畳み込んでそれぞれ収蔵主面体にし、それぞれの前記第２見開き面に設けた前記起伏構成体を前記収蔵主面体で、それぞれ前記上接続部側へ畳み込み向合うかたちに収合させて収合多面体にし、その収合多面体を展げる動作で、連接させた前記下面と前記下接続部とを畳み込まれた状態から引起こして全ての前記起伏構成体をポップアップさせ、且つ前記上面と、前記上接続部を介して隣り合う上面とを相互に鈍角の配列にして並べる構造を備えた、ポップアップ多面体。
【請求項２】
主面体に設けた第１折目と接続体に設けた第２折目を、前記主面体と前記接続体との連接箇所に十字に交わる線上に設け、上面と上接続部との連接箇所に設けた第３折目のそれぞれを、相互に並行にした、請求項１に記載のポップアップ多面体。
【請求項３】
下接続部の底辺の両端の角度を成すそれぞれの鋭角を、前記下接続部を挟んで連接させたそれぞれの下面が上面側へ畳み込んだ起伏構成体のそれぞれの厚みに応じて変更させる、請求項１又は２に記載のポップアップ多面体。
【請求項４】
３個以上の主面体を連接させたそれぞれの接続体の幅を、それぞれの前記接続体の上接続部に接続させた収蔵主面体が、前記上接続部との接続箇所に設けた第３折目で折曲げられる順序に応じて変更させる、請求項１〜３のいずれか１項に記載のポップアップ多面体。
【請求項５】
主面体の上方に最上面を設けた３面主面体を、接続体の上方に最上接続部を設けた３部位接続体を介して横方向に連接させ、前記３面主面体には上面と前記最上面との境界に第５折目を設け、前記３部位接続体には上接続部と前記最上接続部との境界に第６折目を設け、前記最上接続部には前記第６折目を底辺としその両端の角度が鋭角で成る形状を形成させて前記最上面と連接させその連接箇所にそれぞれ第７折目を設け、前記最上面と前記上面とに第３見開き面を形成させ、その第３見開き面の全て又はいずれかに起伏構成体を設けた、請求項１〜４のいずれか１項に記載のポップアップ多面体。
【請求項６】
主面体の上面に引起し式の保持片を設け、前記主面体の下面に保持台片を設け、その保持台片を、ポップアップ機構を介して前記上面と接合させ、前記下面を前記上面より展げてポップアップさせ、ポップアップさせた前記保持台片に前記保持片を引起して乗せる構造を備えた、請求項１〜４のいずれか１項に記載のポップアップ多面体。
【請求項７】
３面主面体の上面に引起し式の保持片を設け、前記３面主面体の最上面と下面とに保持台片を設け、その保持台片を、ポップアップ機構を介してそれぞれ前記上面と接合させ、前記最上面と前記下面とをそれぞれ前記上面より展げてポップアップさせ、ポップアップさせた前記保持台片に前記保持片を引起して乗せる構造を備えた、請求項５に記載のポップアップ多面体。
【請求項８】
第１見開き面を成す上面の全て又はいずれかに、ポップアップ機構を介してカードホルダー用の額縁を接合して形成させたカードホルダーを設け、そのカードホルダーの表面と下面及び上接続部とに形成させたそれぞれの見開き面の全て又はいずれかに起伏構成体を設けた、請求項１〜７のいずれか1項に記載のポップアップ多面体。